(57)【要約】【課題】  無線通信システムにおいて、受信周波数帯の広帯域のノイズ入力に対してスケルチが開く誤動作を低減する無線通信装置及び無線通信方法を提供する。【解決手段】  音声の受信信号の周波数ＣＨ１に対して前後の周波数ＣＨ２，３についても検波器１３でＲＳＳＩ値を測定し、特定レベル以上（広帯域ノイズ時）であれば、制御回路２０がスケルチの閾値を上げてスケルチ回路１４がノイズのカットを多めに行い、通話終了時とＲＳＳＩ値が特定レベル未満となった時（標準時）には元のスケルチの閾値に戻してスケルチ回路１４がノイズカットを通常に行うよう、スケルチ制御を行う無線通信装置及び無線通信方法である。【選択図】        図２
2019062305.tif 000002
【特許請求の範囲】
【請求項１】
スケルチ機能を備える無線通信装置であって、
通信の受信周波数に対して前後の周波数の受信強度を測定し、前記前後の周波数の少なくとも一方の前記受信強度が、特定レベル未満の場合には、スケルチの閾値を第１の値に設定し、前記特定レベル以上の場合には、スケルチの閾値を前記第１の値より高い第２の値に変更して設定し、スケルチ制御を行うことを特徴とする無線通信装置。
【請求項２】
前記受信周波数に対して前後の周波数の受信強度の測定を、音声の受信時を除いて、特定時間間隔で行うことを特徴とする請求項１記載の無線通信装置。
【請求項３】
前記受信周波数に対して前後の周波数の受信強度の測定を、前記受信周波数を特定レベル以上の受信強度で受信した場合に行うことを特徴とする請求項１記載の無線通信装置。
【請求項４】
音声通信の終了時に、スケルチの閾値が第２の値になっている場合には第１の値に変更して設定することを特徴とする請求項１〜３のいずれか１項に記載の無線通信装置。
【請求項５】
通信の受信周波数に対して前後の周波数の受信強度を測定し、前記前後の周波数の少なくとも一方の前記受信強度が、特定レベル未満の場合には、スケルチの閾値を第１の値に設定し、前記特定レベル以上の場合には、スケルチの閾値を前記第１の値より高い第２の値に変更して設定し、スケルチ制御を行うことを特徴とする無線通信方法。
【発明の詳細な説明】
【技術分野】
【０００１】
本発明は、無線通信装置に係り、特に、ノイズの影響により受信スケルチが開く誤動作を低減する無線通信装置及び無線通信方法に関する。
【背景技術】
【０００２】
［従来の技術］
従来の無線通信システムとして、例えば、地下鉄、坑道等の線路沿いに張られた誘導線に交流電流を流して、その誘導線から発生する交流磁界によって車両に取り付けられた無線移動局装置との間で無線通信を行い、通話を実現する誘導無線システムがある。
【０００３】
誘導無線は、数百ｋＨｚの周波数を用いるため、誘導線から数メートルの範囲でしか無線通信を行うことができないものである。
そして、誘導無線では、トンネル等の不感エリアであっても、誘導線があれば、無線通信できるメリットがあるが、通話の信号対雑音比があまりよくないというデメリットがある。
【０００４】
また、列車等の車両に搭載される無線移動局装置は、アンテナと受信器を備え、受信器では、無信号時の雑音（ノイズ）等を無音状態に制御するスケルチ機能を有している。
そして、受信した信号を音声として出力するようになることを「スケルチが開く」又は「スケルチ開」といい、その時はスケルチ機能がオフとなって音声信号とノイズが出力されることになる。
【０００５】
［関連技術］
尚、関連する先行技術として、特開２００９−２６０７２６号公報「誘導無線通信方式」（特許文献１）がある。
特許文献１には、誘導無線移動局が集電装置に流れる信号電流を検出し、検出されたときは当該誘導無線移動局で通信し、検出されないときは他の誘導無線移動局に切り替えて通信することが示されている。
【先行技術文献】
【特許文献】
【０００６】
【特許文献１】特開２００９−２６０７２６号公報
【発明の概要】
【発明が解決しようとする課題】
【０００７】
しかしながら、上記従来の誘導無線システムでは、受信周波数帯で広帯域に亘るノイズが入力された場合に、受信周波数成分を含むノイズがスケルチレベル（スケルチ機能を動作させない信号レベル）以上入力されると、スケルチが開いてしまい、不要なノイズ信号が出力されて誤動作してしまうという問題点があった。
【０００８】
特許文献１には、受信周波数帯で広帯域に渡るノイズがスケルチレベル以上で入力されても、スケルチが開かず、誤動作を防止することについて記載がない。
【０００９】
本発明は上記実情に鑑みて為されたもので、受信周波数帯に対する広帯域のノイズ入力によりスケルチが開く誤動作を低減する無線通信装置及び無線通信方法を提供することを目的とする。
【課題を解決するための手段】
【００１０】
上記従来例の問題点を解決するための本発明は、スケルチ機能を備える無線通信装置であって、通信の受信周波数に対して前後の周波数の受信強度を測定し、その前後の周波数の少なくとも一方の受信強度が、特定レベル未満の場合には、スケルチの閾値を第１の値に設定し、特定レベル以上の場合には、スケルチの閾値を第１の値より高い第２の値に変更して設定し、スケルチ制御を行うことを特徴とする。
【００１１】
本発明は、上記無線通信装置において、受信周波数に対して前後の周波数の受信強度の測定を、音声の受信時を除いて、特定時間間隔で行うことを特徴とする。
【００１２】
本発明は、上記無線通信装置において、受信周波数に対して前後の周波数の受信強度の測定を、受信周波数を特定レベル以上の受信強度で受信した場合に行うことを特徴とする。
【００１３】
本発明は、上記無線通信装置において、音声通信の終了時に、スケルチの閾値が第２の値になっている場合には第１の値に変更して設定することを特徴とする。
【００１４】
本発明は、通信の受信周波数に対して前後の周波数の受信強度を測定し、その前後の周波数の少なくとも一方の受信強度が、特定レベル未満の場合には、スケルチの閾値を第１の値に設定し、特定レベル以上の場合には、スケルチの閾値を第１の値より高い第２の値に変更して設定し、スケルチ制御を行うことを特徴とする。
【発明の効果】
【００１５】
本発明によれば、スケルチ機能を備える無線通信装置が、通信の受信周波数に対して前後の周波数の受信強度を測定し、受信強度が、特定レベル未満の場合には、スケルチの閾値を第１の値に設定し、特定レベル以上の場合には、スケルチの閾値を第１の値より高い第２の値に変更して設定し、スケルチ制御を行うようにしているので、通信の受信周波数帯の広帯域のノイズ入力に対してスケルチが開く誤動作を低減できる効果がある。
【図面の簡単な説明】
【００１６】
【図１】本システムの概要図である。
【図２】無線移動局装置の構成ブロック図である。
【図３】制御回路の構成ブロック図である。
【図４】制御部での処理フローチャートである。
【発明を実施するための形態】
【００１７】
本発明の実施の形態について図面を参照しながら説明する。
［実施の形態の概要］
本発明の実施の形態に係る無線通信装置は、誘導無線システムにおいて、音声の受信周波数を中心に前後の周波数についても受信強度を測定して、当該受信強度が、受信周波数以外の周波数で特定レベル以上であれば、スケルチの閾値を上げてスケルチ制御を行うようにしているので、受信周波数帯の広帯域のノイズによるスケルチが開く誤動作を防止できるものである。
【００１８】
［本システム：図１］
本発明の実施の形態に係る無線通信システム（本システム）について図１を参照しながら説明する。図１は、本システムの概要図である。
本システムは、図１に示すように、列車に搭載される無線移動局装置（列車無線移動局装置）１と、車両のＳＩＶ（Static Inverter）装置２と、誘導線３とから構成されている。
【００１９】
無線移動局装置１は、後述するように、受信器１０と、制御回路２０と、アンテナ（受信アンテナ）３０とを有し、誘導線３からの無線信号をアンテナ３０で受信し、受信器１０と制御回路２０とで受信処理を行う。無線移動局装置１の詳細は、図２を参照しながら後述する。
【００２０】
ＳＩＶ（静止形インバータ）装置２は、直流を交流に変換する電源装置で、鉄道車両では補助電源として用いられる。
誘導線３は、交流磁界によって無線信号の送受信を行う。
【００２１】
［無線移動局装置１：図２］
無線移動局装置（移動局又は本装置）１の受信器１０と制御回路２０について図２を参照しながら説明する。図２は、無線移動局装置の構成ブロック図である。尚、送信器は図示を省略している。
［受信器１０］
受信器１０は、合成器（ＭＩＸ）１１と、局部発振器（Ｌｏ）１２と、検波器１３と、スケルチ回路（ＳＱ）１４と、スイッチ回路１５とを有している。
局部発振器１２は、制御回路２０からのチャネル制御（ＣＨ制御）情報を入力し、そのＣＨ制御情報に基づいてＣＨ１，ＣＨ２，ＣＨ３のいずれかの周波数を発振する。
【００２２】
ＣＨ制御情報は、音声の受信周波数帯のＣＨ１、その前の周波数帯のＣＨ２、その後ろの周波数帯のＣＨ３のいずれかを指示する情報である。
例えば、ＣＨ１は、音声の受信周波数を１１５ｋＨｚ、ＣＨ２を１００ｋＨｚ、ＣＨ３を１３０ｋＨｚに設定する。音声の受信周波数に対して、どの程度の周波数の幅でＣＨ２、ＣＨ３を設定するかは、実際の受信状況に応じて決定する。
【００２３】
ＭＩＸ１１は、局部発振器１２からの発振周波数とアンテナ３０からの受信信号を合成し、検波器１３に出力する。
検波器１３は、入力信号について検波して受信電界強度（ＲＳＳＩ）値を制御回路２０に出力する。
スケルチ回路１４は、制御部２０からのスケルチ制御（ＳＱ制御）情報を入力し、その情報に従ってスケルチを開いてノイズカットの信号を出力する。
【００２４】
スイッチ回路１５は、スケルチ回路１４からのノイズカットの信号又は検波器１３からの信号を外部（例えば、スピーカ）に出力する。
具体的には、スイッチ回路１５は、検波器１３からの音声信号が入力されているときは音声信号を出力し、スケルチ回路１４からのノイズカットの信号が入力されているときはノイズカットの信号を出力するよう切り替え動作を行い、スケルチ制御を行うものである。
【００２５】
制御回路２０は、周波数ＣＨ１〜ＣＨ３を定期的に切り替えるようＣＨ制御情報を局部発振器１２に出力し、検波器１３からのＲＳＳＩ値に基づいてスケルチ回路１４にスケルチ制御情報を出力する。
【００２６】
通常は、音声を受信する周波数ＣＨ１に設定されており、特定時間Ｔが経過した後に、その時間Ｔより短い時間ｔでＲＳＳＩ値の測定のための周波数ＣＨ２，ＣＨ３に設定するよう切り替える。そして、周波数ＣＨ１に戻して特定時間Ｔの経過を待ってＣＨ２，ＣＨ３のチャネル切り替えを行う。但し、チャネルの切り替えは、ＣＨ１で音声信号を受信している間（通話中）は行わないよう制御されている。
【００２７】
スケルチ制御情報は、スケルチを開くための閾値を、標準の値（例えば６０ｄＢμＶ）又は広帯域ノイズ時の値（例えば７０ｄＢμＶ）のいずれにするのかを指定するものである。
具体的には、ＣＨ２，ＣＨ３におけるＲＳＳＩ値が特定レベルより低い場合には、標準の値を出力し、特定レベル以上の場合には、広帯域ノイズ時の値を出力する。
【００２８】
［制御回路２０：図３］
次に、制御回路２０について図３を参照しながら説明する。図３は、制御回路の構成ブロック図である。
制御回路２０は、図３に示すように、ＲＳＳＩ値判定部２１と、制御部２２と、ＣＨ切替部２３とを備えている。
【００２９】
ＲＳＳＩ値判定部２１は、検波器１３から入力されたＲＳＳＩ値が特定レベル以上か否かを判定し、判定結果（特定レベル以上又は特定レベル未満）を制御部２２に出力する。
制御部２２は、周波数ＣＨ１〜ＣＨ３を所定の間隔で順次切り替えるようＣＨ切替指示をＣＨ切替部２３に出力する。
ＣＨ切替部２３は、局部発振器１２にＣＨ１〜３を切り替えるためのＣＨ制御情報を出力する。
【００３０】
また、制御部２２は、ＲＳＳＩ値判定部２１からの判定結果に基づいてスケルチ回路１４にスケルチ制御情報を出力する。
上述したように制御部２２は、スケルチ制御情報として、ＣＨ２，ＣＨ３におけるＲＳＳＩ値が特定レベルより低い場合には、標準の値を出力し、特定レベル以上の場合には、広帯域ノイズ時の値を出力する。
【００３１】
［制御部２２での処理：図４］
次に、制御部２２での処理について図４を参照しながら説明する。図４は、制御部での処理フローチャートである。
制御部２２は、通話チャネルＣＨ１に設定して受信を行い（Ｓ１）、次に、チャネルＣＨ２に設定して切り替えてＲＳＳＩ値を測定し（Ｓ２）、続いて、チャネルＣＨ３に設定して切り替えてＲＳＳＩ値を測定する（Ｓ３）。
【００３２】
そして、ＣＨ２，ＣＨ３の信号のＲＳＳＩ値が特定レベル以上（ここでは標準時の値の６０ｄＢμＶ）であるか否かを判定し（Ｓ４）、両方のチャネルの信号が特定レベル未満であれば（Ｎｏの場合）、スケルチの閾値を６０ｄＢμＶ（標準時の値）のままに設定する（Ｓ５）。
また、両方のチャネルの信号が特定レベル以上であれば（Ｙｅｓの場合）、スケルチの閾値を７０ｄＢμＶ（広帯域ノイズ時の値）に設定する（Ｓ８）。
ここで、両方のチャネルの信号が特定レベル以上としたが、いずれか一方のチャネルの信号が特定レベル以上である場合に、広帯域ノイズ時の値に設定するようにしてもよい。
【００３３】
次に、チャネルＣＨ１に設定して切り替えてＲＳＳＩ値を測定する（Ｓ７）。そして、ＣＨ１の信号のＲＳＳＩ値が特定レベル以上であるか否かを判定し（Ｓ８）、ＣＨ１の信号が特定レベル未満であれば（Ｎｏの場合）、通話を開始せず、処理Ｓ１に戻る。
【００３４】
ＣＨ１の信号が特定レベル以上であれば（Ｙｅｓの場合）、通話を開始する（Ｓ９）。その後に通話終了か否かを判定する（Ｓ１０）。通話が終了していなければ（Ｎｏの場合）、処理Ｓ１０に戻り、通話が終了したのであれば（Ｙｅｓの場合）、スケルチの閾値を６０ｄＢμＶ（標準時の値）に設定し（Ｓ１１）、処理Ｓ１に戻る。
以上のように制御部２２で処理が為される。 
【００３５】
［応用例］
本装置では、スケルチの閾値を標準時の値と広帯域ノイズ時の値の２段階で切り替えるものとなっているが、３段階以上の多段階の切り替えとしてもよい。
また、本装置では、周波数ＣＨ１〜３を順次切り替えているが、例えば、図４のステップＳ１において通話チャネルＣＨ１で特定レベル以上のＲＳＳＩ値で受信した場合に、隣接するＣＨ２、ＣＨ３に切り換えてＲＳＳＩ値を測定し（ステップＳ２、Ｓ３）、以降の処理を実施するように構成してもよい。
【００３６】
さらに、本装置では、周波数ＣＨ２、３のＲＳＳＩ値が共に特定レベル以上である場合にスケルチの閾値を上げるようにしたが、ＣＨ２、ＣＨ３の少なくとも一方が特定レベル以上であれば、スケルチの閾値を上げるように設定変更してもよい。これによっても上述した実施の形態と同様の作用効果を得ることができる。
【００３７】
尚、上述した実施の形態は、誘導無線システムを例にあげて説明したが、本発明は誘導無線システムに限定されず、無線通信受信周波数に対して広帯域に亘るノイズが存在する無線通信システム、及び、その無線通信装置に適用できることは言うまでもない。
また、上述した実施の形態では、音声を無線通信する場合を例にあげたが、本発明はこれに限定されるものではなく、データを無線通信する場合にも適用できることは言うまでもない。
【００３８】
［実施の形態の効果］
本装置及び無線通信方法によれば、音声の受信信号の周波数に対して前後の周波数についてもＲＳＳＩ値を測定し、そのＲＳＳＩ値が、特定レベル以上（広帯域ノイズ時）であれば、スケルチの閾値を上げてノイズのカットを多めに行い、通話終了時とＲＳＳＩ値が特定レベル未満となった時（標準時）には元のスケルチの閾値に戻してノイズカットを通常に行うよう、スケルチ制御を行うので、広帯域ノイズがない場合は、低いスケルチの閾値とし、広帯域ノイズがある場合は、高いスケルチの閾値とすることで、広帯域ノイズによるスケルチが開くことの誤動作を防止できる効果がある。
【産業上の利用可能性】
【００３９】
本発明は、無線通信システムにおいて、受信周波数帯の広帯域のノイズ入力に対してスケルチが開く誤動作を低減する無線通信装置及び無線通信方法に好適である。
【符号の説明】
【００４０】
１…無線移動局装置、  ２…ＳＩＶ装置、  ３…誘導線、  １０…受信器、  １１…合成器（ＭＩＸ）、  １２…局部発振器（Ｌｏ）、  １３…検波器、  １４…スケルチ回路（ＳＱ）、  １５…スイッチ回路、  ２０…制御回路、  ２１…ＲＳＳＩ値判定部、  ２２…制御部、  ２３…ＣＨ切替部、  ３０…アンテナ
【図１】
2019062305.tif 000003
【図２】
2019062305.tif 000004
【図３】
2019062305.tif 000005
【図４】
2019062305.tif 000006